(57)【要約】【課題】瞬間停電等によりＨＤＤが保護モードに移行したことに起因して使用できない状態になった場合でも、ユーザーの手を煩わせることなく復旧することができる画像処理装置を提供する。【解決手段】マウント情報保持部３０１は、ハードディスクドライブ２０４をマウントする際に、マウント処理が正常に完了したか否かを示すマウント情報を保持する。異常判定部３０２は、ハードディスクドライブ２０４へのアクセスが不能である場合、マウント情報保持部３０１に保持されている既実施のマウント処理についてのマウント情報に基づいて、予め指定された異常判定条件を満足するか否かを判定する。マウント処理実行部３０３は、異常判定部３０２により異常判定条件を満足しないと判定された場合、ハードディスクドライブ２０４の電源を一旦オフ状態とした後、オン状態とし、その後にハードディスクドライブ２０４のマウント処理を実施する。【選択図】図３
2016139298.tif 000002
【特許請求の範囲】
【請求項１】
ハードディスクドライブを備える画像処理装置であって、
前記ハードディスクドライブをマウントする際に、マウント処理が正常に完了したか否かを示すマウント情報を保持するマウント情報保持部と、
前記ハードディスクドライブへのアクセスが不能である場合、前記マウント情報保持部に保持されている既実施のマウント処理についてのマウント情報に基づいて、予め指定された異常判定条件を満足するか否かを判定する異常判定部と、
前記異常判定部により異常判定条件を満足しないと判定された場合に、前記ハードディスクドライブの電源を一旦オフ状態とした後、オン状態とし、その後に前記ハードディスクドライブのマウント処理を実施するマウント処理実行部と、
を備える、画像処理装置。
【請求項２】
前記異常判定部により異常判定条件を満足すると判定された場合に、前記ハードディスクドライブに異常がある旨を報知する報知部をさらに備える、請求項１記載の画像処理装置。
【請求項３】
予め指定された指定イベントが発生したときに、その時点の自装置の動作状態を保持する動作状態保持部と、
前記マウント処理実行部が、前記ハードディスクドライブに供給される電源電圧の低下に応じて前記ハードディスクドライブのマウント処理を実行した場合、当該マウント処理の実行後に前記動作状態保持部に保持されている動作状態を自装置の動作状態として再現する動作状態再現部と、
をさらに備える、請求項１又は請求項２記載の画像処理装置。
【請求項４】
前記異常判定条件が、直前のマウント処理が正常に完了しなかったこと、である請求項１から請求項３のいずれか１項に記載の画像処理装置。
【発明の詳細な説明】
【技術分野】
【０００１】
本発明は、ハードディスクドライブを備える画像処理装置に関する。
【背景技術】
【０００２】
近年、スキャナー、プリンター、複写機、複合機等の画像処理装置は、オフィス等において広く使用されている。オフィス等において、画像処理装置は、ＬＡＮ（Local Area Network）等のネットワークを通じてパーソナルコンピューター等の情報処理端末と接続され、複数のユーザーにより共用されることが多い。
【０００３】
このような画像処理装置では、多くのユーザーによる使用を可能とするため、大容量のハードディスクドライブ（ＨＤＤ）が搭載されている。また、このＨＤＤには、画像処理装置が備える多様な機能を実現するためのアプリケーションソフトウェア等も格納されており、画像処理装置のＣＰＵは当該ソフトウェアを読み出して実行することで各種機能を実現している。
【０００４】
画像処理装置においてＨＤＤを使用可能とするために、画像処理装置では、例えば、起動時に、ＨＤＤのマウント処理が実施される。このマウント処理において、画像処理装置は、ＨＤＤをハードウェアとして認識するとともに、ＨＤＤに格納されているファイルシステム管理情報を取得する。これにより、ＨＤＤに対するアクセス（データ読出し及びデータ書込み）が可能になる。
【０００５】
このようなマウント処理に関連する技術として、特許文献１は、マウント時のファイルシステム管理情報の整合性を簡単に確認することが可能な技術を開示している。この技術では、記憶媒体のデータ記憶部への書込み要求又は消去要求を実施中にはフラグを整合性がない可能性を示す「ＯＮ」とする。そして、処理が正常に完了した後に、フラグを「ＯＦＦ」にする。これにより、当該フラグを参照することで、ファイルシステム管理情報の整合性を確認できるようにしている。
【先行技術文献】
【特許文献】
【０００６】
【特許文献１】特開２００５−３５３０４６号公報
【発明の概要】
【発明が解決しようとする課題】
【０００７】
公知のように、ＨＤＤは回転するプラッタに対してヘッドを移動させることでデータの読出しや書込みを行う。プラッタの回転中はヘッドとプラッタとの間にわずかな隙間が存在しているが、プラッタの回転が停止するとヘッドとプラッタとが物理的に接触する。このような接触はデータ破損やＨＤＤ自体の破損を招くため、ＨＤＤでは、プラッタの回転を停止させる場合、ヘッドが退避される構成になっている。そのため、ＨＤＤの電源をオフ状態にする場合には、まず、ヘッドが退避され、その後に、電源がオフされる。
【０００８】
このようなＨＤＤであっても、瞬時停電等によりＨＤＤに供給される電源電圧が意図せず低下した場合には、ヘッドを退避させることができず、データ破損やＨＤＤ自体の破損が発生する可能性がある。そのため、保護モードを備えるＨＤＤも存在している。保護モードとは、電源がオフされるのを待機するモードである。ＨＤＤが保護モードに移行した場合、ヘッドは退避され、マウント状態も解除される。保護モードを備えるＨＤＤは、電源オフの指示が入力された場合やＨＤＤの電源電圧が予め指定された閾値電圧よりも低下した場合に保護モードに移行する。
【０００９】
このような保護モードを備えるＨＤＤを搭載した画像処理装置では、瞬時停電等によりＨＤＤに供給される電源電圧が意図せず低下した場合でも、ＨＤＤが自動的に保護モードへ移行するためＨＤＤの破損等を避けることができる。しかしながら、瞬時停電の場合、瞬間的に電源電圧が低下し、その後に正常な電圧に復帰する。この場合、画像処理装置自体は電源オン状態であっても、瞬時停電による電源電圧低下に伴って、ＨＤＤの電源電圧が閾値電圧以下にまで低下していた場合、ＨＤＤは保護モードに移行してしまう。この場合、ＨＤＤはマウントが解除されているため、画像処理装置はＨＤＤにアクセスすることができない。その結果、画像処理装置は、正常に動作することができなくなり、ユーザーは画像処理装置を使用できなくなる。
【００１０】
上述のように、保護モードは、電源がオフされるのを待機するモードである。そのため、保護モードに移行したＨＤＤは電源をオフ状態にする必要がある。したがって、ＨＤＤが保護モードに移行したためにアクセス不能となった場合には、画像処理装置の電源を一旦オフ状態とし、ＨＤＤの電源電圧を確実にオフ状態にするために数秒程度待機してから、電源を再度オン状態にすることが必要になる。これにより、ＨＤＤの保護モードは解除され、ＨＤＤが正常にマウントされることになる。
【００１１】
以上のように、瞬時停電が発生した場合には、ユーザーは、画像処理装置を使用可能とするために、画像処理装置を再起動することが必要になる場合があった。
【００１２】
本発明は、このような従来技術の課題を鑑みてなされたものであって、瞬間停電等によりＨＤＤが保護モードに移行したことに起因して使用できない状態になった場合でも、ユーザーの手を煩わせることなく復旧することができる画像処理装置を提供することを目的とする。
【課題を解決するための手段】
【００１３】
上述の目的を達成するために、本発明に係る画像処理装置は、以下の技術的手段を採用している。まず、本発明は、ハードディスクドライブを備える画像処理装置を前提としている。そして、本発明に係る画像処理装置は、マウント情報保持部、異常判定部、及びマウント処理実行部を備える。マウント情報保持部は、ハードディスクドライブをマウントする際に、マウント処理が正常に完了したか否かを示すマウント情報を保持する。異常判定部は、ハードディスクドライブへのアクセスが不能である場合、マウント情報保持部に保持されている既実施のマウント処理についてのマウント情報に基づいて、予め指定された異常判定条件を満足するか否かを判定する。マウント処理実行部は、異常判定部により異常判定条件を満足しないと判定された場合、ハードディスクドライブの電源を一旦オフ状態とした後、オン状態とし、その後にハードディスクドライブのマウント処理を実施する。
【００１４】
この画像処理装置は、瞬間停電等によりＨＤＤが保護モードに移行したことに起因して使用できない状態になった場合でも、自動的に復旧させることができる。そのため、ユーザーは復旧作業を実施する必要がない。
【００１５】
上述の画像処理装置は、異常判定部により異常判定条件を満足すると判定された場合に、ハードディスクドライブに異常がある旨を報知する報知部をさらに備える構成を採用することができる。
【００１６】
また、以上の画像処理装置は、動作状態保持部及び動作状態再現部をさらに備える構成を採用することができる。動作状態保持部は、予め指定された指定イベントが発生したときに、その時点の自装置の動作状態を保持する。動作状態再現部は、マウント処理実行部が、ハードディスクドライブに供給される電源電圧の低下に応じてハードディスクドライブのマウント処理を実行した場合、当該マウント処理の実行後に動作状態保持部に保持されている動作状態を自装置の動作状態として再現する。
【００１７】
なお、上述の異常判定条件として、例えば、直前のマウント処理が正常に完了しなかったこと、を採用することができる。
【発明の効果】
【００１８】
本発明によれば、瞬間停電等によりＨＤＤが保護モードに移行したことに起因して使用できない状態になった場合でも、ユーザーの手を煩わせることなく復旧することができる。その結果、ユーザーの使用利便性を従来に比べて向上させることができる。
【図面の簡単な説明】
【００１９】
【図１】本発明の一実施形態における複合機の全体構成を示す概略構成図
【図２】本発明の一実施形態における複合機のハードウェア構成を示す図
【図３】本発明の一実施形態における複合機を示す機能ブロック図
【図４】本発明の一実施形態における複合機が実施するＨＤＤ再マウント手順の一例を示すフロー図
【発明を実施するための形態】
【００２０】
以下、本発明の一実施形態について、図面を参照しながらより詳細に説明する。以下では、デジタル複合機として本発明を具体化する。
【００２１】
図１は本実施形態におけるデジタル複合機の全体構成の一例を示す概略構成図である。図１に示すように、複合機１００は、画像読取部１２０及び画像形成部１４０を含む本体１０１と、本体１０１の上方に取り付けられたプラテンカバー１０２とを備える。また、複合機１００の前面には、ユーザーが複合機１００に複写開始やその他の指示を与えたり、複合機１００の状態や設定を確認したりすることができる操作パネル１７１が設けられている。
【００２２】
本体１０１の上部には、画像読取部１２０が設けられている。画像読取部１２０は、走査光学系１２１により原稿の画像を読み取り、その画像のデジタルデータ（画像データ）を生成する。
【００２３】
生成された画像データは、画像形成部１４０において用紙に印刷することができる。また、生成された画像データは、図示しないネットワークを通じて他の機器へ送信することもできる。
【００２４】
画像形成部１４０は、画像読取部１２０が生成した画像データや、ネットワークを通じて他の機器（図示せず）から受信した画像データを用紙に印刷する。画像形成部１４０は、手差しトレイ１５１、給紙カセット１５２、１５３、１５４等から、トナー像を転写する転写部１５５へ用紙を給紙する。転写部１５５においてトナー像が転写された用紙は排紙トレイ１４９へ排紙される。
【００２５】
図２は、複合機における制御系のハードウェア構成図である。本実施形態の複合機１００は、ＣＰＵ（Central Processing Unit）２０１、ＲＡＭ（Random Access Memory）２０２、ＲＯＭ（Read Only Memory）２０３、ＨＤＤ（Hard Disk Drive）２０４及び画像読取部１２０、画像形成部１４０における各駆動部に対応するドライバー２０５が内部バス２０６を介して接続されている。ＲＯＭ２０３やＨＤＤ２０４等はプログラムを格納しており、ＣＰＵ２０１はその制御プログラムの指令にしたがって複合機１００を制御する。例えば、ＣＰＵ２０１はＲＡＭ２０２を作業領域として利用し、ドライバー２０５とデータや命令を授受することにより上記各駆動部の動作を制御する。また、ＨＤＤ２０４は、画像読取部１２０により得られた画像データや、他の機器からネットワークを通じて受信した画像データの蓄積にも用いられる。
【００２６】
内部バス２０６には、操作パネル１７１や各種のセンサー２０７も接続されている。操作パネル１７１は、ユーザーの操作を受け付け、その操作に基づく信号をＣＰＵ２０１に供給する。操作パネル１７１は、ＣＰＵ２０１からの制御信号にしたがって自身が備えるタッチパネルディスプレイに操作画面を表示する。センサー２０７は、プラテンカバー１０２の開閉検知センサーや原稿台上の原稿の検知センサー、定着器の温度センサー、搬送される用紙又は原稿の検知センサーなど各種のセンサーを含む。
【００２７】
ＣＰＵ２０１は、例えば、ＲＯＭ２０３に格納されたプログラムを実行することで、以下の各手段（機能ブロック）を実現するとともに、これらセンサー２０７からの信号に応じて各手段の動作を制御する。
【００２８】
図３は、本実施形態の複合機の機能ブロック図である。図３に示すように、複合機１００は、マウント情報保持部３０１、異常判定部３０２、及びマウント処理実行部３０３を備える。
【００２９】
マウント情報保持部３０１は、ＨＤＤ２０４をマウントする際に、マウント処理が正常に完了したか否かを示すマウント情報を保持する。マウント処理は、ＨＤＤ２０４をハードウェアとして認識し、ＨＤＤ２０４に対するデータの授受が可能な状態にする処理である。当該マウント処理が正常に完了することで、ＣＰＵ２０１等によるＨＤＤ２０４に対するアクセス（データ読出し及びデータ書込み）が可能になる。なお、マウント情報保持部３０１に保持されるマウント情報は、少なくとも、直前に実施されたマウント処理におけるＨＤＤ２０４のマウント情報を含む。特に限定されないが、本実施形態では、マウント情報保持部３０１は、過去に実施された複数回分のマウント処理におけるＨＤＤ２０４のマウント情報を保持している。ここでは、各マウント情報は、１ビットデータで構成されており、例えば、正常にマウントされた場合は「１」、正常にマウントされなかった場合は「０」がマウント情報として記録される。なお、マウント情報保持部３０１のデータ保持領域は、不揮発性メモリ等の不揮発性記憶媒体により構成することができる。また、本実施形態では、ＨＤＤ２０４とは別体の記憶媒体であるフラッシュメモリ（ＲＯＭ２０３）をマウント情報保持部３０１のデータ保持領域として使用している。
【００３０】
異常判定部３０２は、ＨＤＤ２０４へのアクセスが不能である場合、マウント情報保持部３０１に保持されている既実施のマウント処理についてのマウント情報に基づいて、予め指定された異常判定条件を満足するか否かを判定する。特に限定されないが、本実施形態では、「直前のマウント処理が正常に完了しなかったこと」が異常判定条件として設定されている。
【００３１】
マウント処理実行部３０３は、異常判定部３０２により異常判定条件を満足しないと判定された場合、ＨＤＤ２０４の電源を一旦オフ状態とした後、オン状態とし、その後にＨＤＤ２０４のマウント処理を実施する。本実施形態では、ＨＤＤ２０４への電源供給は、ＨＤＤ電源制御部３１１により制御されている。そのため、マウント処理実行部３０３は、ＨＤＤ電源制御部３１１に指示を入力することで、ＨＤＤ２０４に対する電源オフ及び電源オンを実現する。なお、本実施形態では、ＨＤＤ２０４の電源を確実にオフ状態にするために、マウント処理実行部３０３は電源オフ指示の出力後、数秒程度の時間間隔をおいて電源オン指示をＨＤＤ電源制御部３１１に入力する構成になっている。
【００３２】
また、図３に示すように、複合機１００は、報知部３０４、動作状態保持部３０５、及び動作状態再現部３０６をさらに備えている。
【００３３】
報知部３０４は、異常判定部３０２により異常判定条件を満足すると判定された場合に、ＨＤＤ２０４に異常がある旨を報知する。報知方法は特に限定されない。表示、音、印刷物、電子メール等、ユーザーが認識可能な任意の方法を採用することができる。ここでは、報知部３０４は、操作パネル１７１のディスプレイに警告メッセージを表示することでユーザーに対してＨＤＤ２０４の異常を報知する。
【００３４】
動作状態保持部３０５は、予め指定された指定イベントが発生したときに、その時点の複合機１００の動作状態を保持する。指定イベントとは、複合機１００の状態変化を伴うユーザーの指示を意味する。当該状態変化には、複合機１００に設定される各種設定値の変化の他、例えば、数値入力用ポップアップ画面の表示のような、操作パネル１７１が備えるディスプレイの表示画面の変化も含まれる。例えば、複合機１００が実行可能な、ファクシミリ送信機能、画像読取機能、複写機能等の各種機能中の１つの機能を選択する指示や、設定値の変更指示等が指示イベントになり得る。また、動作状態には、各種設定値の値や操作パネル１７１が備えるディスプレイの表示画面の表示が含まれる。ここでは、指定イベントとして、設定値の変更、又はディスプレイ表示画面の変更を伴う指示が登録されており、指定イベントに該当する指示が入力される都度、動作状態保持部３０５は、複合機１００の動作状態を格納する。
【００３５】
また、特に限定されないが、本実施形態では、動作制御部３１２が、複合機１００における各種処理（画像読取処理、ファクシミリ送受信処理、画像形成処理等）の実行を制御する構成になっている。すなわち、ユーザーによる各種指示は動作制御部３１２に入力され、各指示に応じた画像処理が動作制御部３１２により実行される。そのため、本実施形態では、動作状態保持部３０５は、動作制御部３１２から複合機１００の動作状態を取得する構成になっている。なお、動作状態保持部３０５のデータ保持領域は、不揮発性メモリ等の不揮発性記憶媒体により構成することができる。また、本実施形態では、ＨＤＤ２０４とは別体の記憶媒体であるフラッシュメモリ（ＲＯＭ２０３）を動作状態保持部３０５のデータ保持領域として使用している。
【００３６】
動作状態再現部３０６は、マウント処理実行部３０３が、ＨＤＤ２０４に供給される電源電圧の低下に応じてＨＤＤ２０４のマウント処理を実行した場合、当該マウント処理の実行後に動作状態保持部３０５に保持されている動作状態を複合機１００の動作状態として再現する。本実施形態では、動作状態再現部３０６は、動作状態保持部３０５に保持されている動作状態を動作制御部３１２に入力することで、複合機１００の動作状態を再現する構成になっている。
【００３７】
図４は、複合機１００が実施するＨＤＤ再マウント処理手順の一例を示すフロー図である。当該手順は、例えば、複合機１００の電源がオン状態になったことをトリガーとして開始する。
【００３８】
当該手順が開始すると、複合機１００では、ＣＰＵ２０１がＲＯＭ２０３に格納された起動プログラム（ファームウェア）を読み出して実行する。この起動プログラムの実行の過程で、マウント処理実行部３０３によりＨＤＤ２０４のマウント処理が実行される。そして、ＨＤＤ２０４のマウント処理の結果がマウント情報保持部３０１に格納される（ステップＳ４０１）。
【００３９】
ＨＤＤ２０４のマウント処理が正常に完了した場合、ＣＰＵ２０１は、ＨＤＤ２０４から各種アプリケーションソフトウェアを読み出して実行する。これにより、複合機１００は、各種機能を実行可能な状態になる（ステップＳ４０２Ｙｅｓ）。
【００４０】
当該状態で複合機１００は、上述の指定イベントが発生するまで待機する（ステップＳ４０３Ｎｏ、Ｓ４０５Ｎｏ、Ｓ４０６Ｎｏ）。上述の指定イベントが発生すると、動作状態保持部３０５がその時点の複合機１００の動作状態を動作制御部３１２から取得し、取得した動作状態を保持する（ステップＳ４０３Ｙｅｓ、Ｓ４０４、Ｓ４０５Ｎｏ、Ｓ４０６Ｎｏ）。
【００４１】
以上のような状況下で、瞬時停電等により、複合機１００へ供給されている商用電源の電圧が瞬間的に低下したとする。当該電圧低下に伴ってＨＤＤ２０４が保護モードに移行した場合、ＨＤＤ２０４はアンマウントされるため、複合機１００はＨＤＤ２０４へのアクセスができなくなる（ステップＳ４０６Ｙｅｓ）。このとき、マウント処理実行部３０３は、異常判定部３０２に、ＨＤＤ２０４の異常判定を指示する。
【００４２】
当該指示に応じて、異常判定部３０２は、マウント情報保持部３０１から、直前のマウント情報を取得する。そして、異常判定部３０２は、予め指定された異常判定条件（ここでは、「直前のマウント処理が正常に完了しなかったこと」）を満足するか否かを判定する。このとき、異常判定部３０２は、判定結果をマウント処理実行部３０３に通知する。この例では、直前のマウント処理は正常に完了しているため、異常判定部３０２は、異常判定条件を満足しない旨を、マウント処理実行部３０３に通知する（ステップＳ４０７Ｎｏ）。
【００４３】
当該通知を受けたマウント処理実行部３０３は、まず、ＨＤＤ電源制御部３１１を通じてＨＤＤ２０４の電源をオフ状態にする（ステップＳ４０８）。次いで、マウント処理実行部３０３は、ＨＤＤ電源制御部３１１を通じてＨＤＤ２０４の電源をオン状態にする（ステップＳ４０９）。そして、マウント処理実行部３０３は、ＨＤＤ２０４に対してマウント処理を実行する（ステップＳ４１０）。
【００４４】
ＨＤＤ２０４に対するマウント処理が正常に完了すると、マウント処理実行部３０３は、動作状態再現部３０６にその旨を通知する（ステップＳ４１１Ｙｅｓ）。当該通知に応じて、動作状態再現部３０６は、動作状態保持部３０５に保持されている動作状態を動作制御部３１２に入力する（ステップＳ４１２）。これにより、複合機１００の動作状態は、ＨＤＤ２０４へのアクセスができなくなった時点の動作状態になる。なお、この場合のＨＤＤ２０４に対するマウント処理の結果はマウント情報保持部３０１に格納される（ステップＳ４０１）。
【００４５】
一方、ＨＤＤ２０４の電源をオン状態へ変更後のＨＤＤ２０４に対するマウント処理が正常に完了しなかった場合、ＨＤＤ２０４が保護モードに移行していたことが、ＨＤＤ２０４にアクセスできなかった原因ではないことになる。この場合、マウント処理実行部３０３は、報知部３０４にその旨を通知する（ステップＳ４１１Ｎｏ）。当該通知に応じて、報知部３０４は、ＨＤＤ２０４が破損している可能性がある旨の警告メッセージを操作パネル１７１のディスプレイに表示する（ステップＳ４１３）。
【００４６】
また、上述の起動プログラムの実行の過程でＨＤＤ２０４のマウント処理が正常に完了しなかった場合、マウント処理異常が連続して発生しているときは、異常判定部３０２による異常判定条件の判定結果は、「異常判定条件を満足する」になる（ステップＳ４０２Ｎｏ、Ｓ４０７Ｙｅｓ）。この場合、異常判定部３０２は、異常判定条件を満足する旨を、マウント処理実行部３０３に通知する。このとき、マウント処理実行部３０３は、報知部３０４にその旨を通知する（ステップＳ４１１Ｎｏ）。当該通知に応じて、報知部３０４は、ＨＤＤ２０４が破損している、あるいは、ＨＤＤ２０４の接続等に問題がある可能性がある旨の警告メッセージを操作パネル１７１のディスプレイに表示する（ステップＳ４１３）。
【００４７】
なお、複合機１００が、指定イベントの発生を待機している状況下で、ユーザーにより複合機１００の電源をオフ状態にする指示が入力された場合、手順はそのまま終了することになる（ステップＳ４０５Ｙｅｓ）。
【００４８】
以上では、瞬時停電等により、ＨＤＤ２０４は保護モードに移行したが、ＣＰＵ２０１は正常な動作を維持できた場合について説明した。しかしながら、瞬時停電等により、ＣＰＵ２０１の電源電圧が低下して動作不能となる可能性もある。
【００４９】
本実施形態では、ＣＰＵ２０１は、電源電圧が予め指定された電圧以下に低下すると、複合機１００の再起動を実施する。この場合、再起動は、ＨＤＤ２０４が保護モードに移行したままで実行されることになる。したがって、上述の起動プログラムの実行の過程で、ＨＤＤ２０４のマウント処理は正常に完了しない（ステップＳ４０２Ｎｏ）。
【００５０】
しかしながら、瞬時停電に起因する再起動前、ＨＤＤ２０４は正常にマウントされていたため、マウント情報保持部３０１に格納されている直前のマウント情報（今回の再起動の直前に実施されたマウント処理のマウント情報）は正常完了である。そのため、異常判定部３０２による異常判定条件の判定結果は、「異常判定条件を満足しない」になる（ステップＳ４０７Ｎｏ）。この場合、マウント処理実行部３０３は、ＨＤＤ２０４の電源オフ（ステップＳ４０８）、ＨＤＤ２０４の電源オン（ステップＳ４０９）、ＨＤＤ２０４のマウント処理を（ステップＳ４１０）を順に実行する。その結果、ＨＤＤ２０４は、正常にマウントされることになる（ステップＳ４１１Ｙｅｓ）。
【００５１】
以上説明したように、複合機１００では、瞬間停電等によりＨＤＤ２０４が保護モードに移行したことに起因して使用できない状態になった場合でも、自動的に復旧させることができる。そのため、ユーザーは、復旧作業を実施する必要がない。また、ＨＤＤ２０４の異常である場合には、その旨が、ユーザーに通知される。また、複合機１００では、当該自動復旧後に、使用不可となった時点の動作状態が再現されるため、ユーザーは、従前の作業を直ちに再開することができる。その結果、ユーザーの使用利便性を従来に比べて向上させることができる。
【００５２】
なお、上述した実施形態は本発明の技術的範囲を制限するものではなく、既に記載したもの以外でも、本発明の範囲内で種々の変形や応用が可能である。例えば、上記実施形態では、特に好ましい形態として、報知部３０４、動作状態保持部３０５、動作状態再現部３０６を備える構成について説明したが、これらの構成要素は本発明に必須の構成要素ではない。これらを備えない構成であっても、保護モードに移行したＨＤＤ２０４を自動的に再マウントすることができる。
【００５３】
また、上述の実施形態では、直前のマウント処理の結果に基づいて異常判定を実施する構成としたが、過去複数回のマウント処理に基づく異常判定等、他の異常判定条件を採用することも可能である。
【００５４】
さらに、図４に示したフローチャートは、等価な作用を奏する範囲において適宜変更可能である。
【００５５】
加えて、上述の実施形態では、デジタル複合機として本発明を具体化したが、デジタル複合機に限らず、スキャナー、複写機等のＨＤＤを備える任意の画像処理装置に本発明を適用することも可能である。
【産業上の利用可能性】
【００５６】
本発明によれば、瞬間停電等によりＨＤＤが保護モードに移行したことに起因して使用できない状態になった場合でも、ユーザーの手を煩わせることなく復旧することができ、画像処理装置として有用である。
【符号の説明】
【００５７】
１００  複合機（画像処理装置）
２０４  ＨＤＤ
３０１  マウント情報保持部
３０２  異常判定部
３０３  マウント処理実行部
３０４  報知部
３０５  動作状態保持部
３０６  動作状態再現部
３１１  ＨＤＤ電源制御部
３１２  動作制御部
【図１】
2016139298.tif 000003
【図２】
2016139298.tif 000004
【図３】
2016139298.tif 000005
【図４】
2016139298.tif 000006